(57)【要約】      （修正有）【課題】床面にたわみや凹みが生じないように家具の荷重を適切に分散でき、かつ、ねじで固定しなくても地震等の振動による家具及び脚受け部材の移動を防止できると共に、振動を良好に吸収することができる脚受け部材を提供する。【解決手段】脚受け部材５は、アジャスタ脚の底部が嵌められる円形凹部２１ａが上面の両端側に設けられた板状剛性部材２１と、板状剛性部材２１の下面に貼り合わされた板状弾性部材２２と、板状弾性部材２２の下面の床面Ｘに接する面に貼り合わされたシート状滑り止め部材２３とを有する。【選択図】図３
2006158473.tif 000002
【特許請求の範囲】
【請求項１】
床面に載置される脚付き家具の複数の脚を受ける脚受け部材であって、上面に上記脚の底部が嵌められる凹部が各脚毎に設けられた板状剛性部材と、該板状剛性部材の下面に貼り合わされた板状弾性部材と、該板状弾性部材の下面の床面に接する面に貼り合わされたシート状滑り止め部材とを有することを特徴とする脚受け部材。
【請求項２】
板状剛性部材と板状弾性部材、及び板状剛性部材とシート状滑り止め部材との貼り合わせに両面粘着テープが用いられていることを特徴とする請求項１に記載の脚受け部材。
【請求項３】
シート状滑り止め部材はシリコンゴムで形成されていることを特徴とする請求項１または請求項２に記載の脚受け部材。
【請求項４】
板状剛性部材の凹部の底面に家具の脚が対接する粘着材が備えられていることを特徴とする請求項１から請求項３のいずれかに記載の脚受け部材。
【請求項５】
粘着材は両面粘着テープであることを特徴とする請求項４に記載の脚受け部材。
【発明の詳細な説明】
【技術分野】
【０００１】
本発明は、床面に載置される脚付き家具の複数の脚を受ける脚受け部材に関し、家具の技術分野に属する。
【背景技術】
【０００２】
床面に収納棚や机等の脚付き家具を設置する場合、該脚から床面に加わる家具の荷重の分散つまり床面の負担軽減による該床面のたわみや凹みの防止、及び地震等の振動に起因する該家具の移動防止を目的として脚受け部材を介設することがあり、例えば特許文献１には、テーブル等の家具の脚を受ける脚受け部材（該文献１におけるベース体）として、上面に脚の底部が嵌る凹部が設けられ、床面にねじで固定されるものが開示されている。
【０００３】
また、特許文献２には、家具（該文献における収納ボックス）の下面４隅に設けられた４つの脚を受ける脚受け部材として、前後２つの脚に渡る長さとされて、上面に脚の底部が嵌められる凹部が各脚毎に設けられたものが開示されている。そして、この文献２には、家具の設置に際し、設置面と脚受け部材との間にシート状の滑り止め材を介設することが開示されている。
【０００４】
さらに、特許文献３には、脚付き家具の設置を想定したものではないが、家具と床面との間に介設される弾性体でなる転倒防止用免震部材が開示されている。また、この文献３には、該弾性体の底面にシート状のすべり止め材を貼り付けてもよい旨記載されている。
【０００５】
【特許文献１】特開平５−７６４３３号公報
【特許文献２】実登３０１９４１５号公報
【特許文献３】特開平９−１４４８０９号公報
【発明の開示】
【発明が解決しようとする課題】
【０００６】
しかしながら、上記特許文献１に記載の脚受け部材は、各脚毎に設けられているので、床面に対する接地面積が少なく、家具の荷重を広範囲に分散させることができない。また、この脚受け部材はタッピンねじで固定されていることから木材と考えられるが、その場合、振動を十分に吸収できず、該振動がそのまま家具に伝達されてしまう。さらに、床面にねじ孔傷を生じさせるだけでなく、床面がねじの効かない素材であったり、ねじ孔をあけることが許されないような場合には適用することができない。
【０００７】
これに対し、特許文献２では、脚受け部材の設置に際してねじを用いないので上記文献１に記載の脚受け部材のような問題は生じないが、以下のような問題が生じる。
【０００８】
すなわち、特許文献２においては脚受け部材の材質について言及されていないが、例えば、硬く剛性の高いものであると、地震等の振動を十分に吸収できないだけでなく、例えば、図１３に示すように脚１０１，１０１が載置される脚受け部材１０２の設置面ｘに不陸があると、脚受け部材１０２と設置面ｘとが一部しか接触しないので、この接触部位に家具の荷重が矢印ア、アで示すように集中することとなる。しかも、滑り止めシート１０３，１０３に荷重が局所的にしか作用しないので、滑り止め機能が適切に発揮されず、この結果、地震等の振動により脚受け部材１０２上に載置された家具が該部材１０２と共に滑って移動する虞がある。また、例えば、設置面ｘの不陸の膨らみが仮想線イで示すように、脚受け部材１０２の端部に位置する場合には、矢印ウで示す箇所に荷重が集中して凹みが生じる虞がある。
【０００９】
他方、脚受け部材の材質として、上記特許文献３に記載の転倒防止用免震部材のように柔軟性を有する剛性の低いものを用いることが考えられる。その場合、地震等の振動を吸収しやすくなるが、脚受け部材１１２が図１４に仮想線エで示すようにたわみ変形し（説明のため強調している）、この結果、収納棚から脚１０１，１０１を介して入力される荷重が脚受け部材１１２全体に均等に分散されずに矢印オ、オで示すように設置面ｘの一部に集中し、前述の問題が生じる。
【００１０】
そこで、本発明は、床面にたわみや凹みが生じないように家具の荷重を適切に分散でき、かつ、ねじで固定しなくても地震等の振動による家具及び脚受け部材の移動を防止できると共に、該振動を良好に吸収することができる脚受け部材を提供することを課題とする。
【課題を解決するための手段】
【００１１】
上記課題を解決するために、本発明は、次のように構成したことを特徴とする。
【００１２】
まず、請求項１に記載の発明は、床面に載置される脚付き家具の複数の脚を受ける脚受け部材であって、上面に上記脚の底部が嵌められる凹部が各脚毎に設けられた板状剛性部材と、該板状剛性部材の下面に貼り合わされた板状弾性部材と、該板状弾性部材の下面の床面に接する面に貼り合わされたシート状滑り止め部材とを有することを特徴とする。
【００１３】
また、請求項２に記載の発明は、上記請求項１に記載の発明において、板状剛性部材と板状弾性部材、及び板状剛性部材とシート状滑り止め部材との貼り合わせには両面粘着テープが用いられていることを特徴とする。
【００１４】
そして、請求項３に記載の発明は、上記請求項１または請求項２に記載の発明において、シート状滑り止め部材はシリコンゴム材で形成されていることを特徴とする。
【００１５】
さらに、請求項４に記載の発明は、上記請求項１から請求項３のいずれかに記載の発明において、板状剛性部材の凹部の底面に家具の脚が対接する粘着材が備えられていることを特徴とする。
【００１６】
また、請求項５に記載の発明は、上記請求項４に記載の発明において、粘着材は両面粘着テープであることを特徴とする。
【発明の効果】
【００１７】
次に、本発明の効果について説明する。
【００１８】
まず、請求項１に記載の発明によれば、上面に上記脚の底部が嵌められる凹部が各脚毎に設けられた板状剛性部材と、該板状剛性材の下面に貼り合わされた板状弾性部材と、該板状弾性部材の下面の床面に接する面に貼り合わされたシート状滑り止め部材とからなるから、板状剛性部材の剛性により脚受け部材のたわみが防止されると共に、床面に不陸がある場合でも、板状弾性部材がこの不陸に沿って変形することにより、シート状滑り止め部材が床面に隙間なく密着することとなる。したがって、脚受け部材を床面にねじ止めしなくても、該脚受け部材が地震等の振動により滑ってずれたりすることがなく、床面にねじ止めする必要がなくなる。また、その結果、床面に傷がつくこともない。
【００１９】
また、脚受け部材の板状剛性部材は板状弾性部材を介してほぼ全面的に床面に接するので、家具の荷重が床面の広い範囲に良好に分散され、床面にたわみや凹みが生じるのが防止される。また、板状弾性部材により地震等の振動を良好に吸収することができる。
【００２０】
ところで、板状剛性部材と板状弾性部材、及び板状弾性部材とシート状滑り止め部材との貼り合わせに例えば接着剤を用いると、硬化時間がかかって生産性が上がらないだけでなく、これらの間に形成された硬化層により振動の吸収性に悪影響を及ぼす虞がある。
【００２１】
しかし、請求項２に記載の発明によれば、板状剛性部材と板状弾性部材、及び板状弾性部材と滑り止めシートとの貼り合わせにはこれら被貼り合わせ物を即座に結合可能な両面粘着テープが用いられるから、接着剤を用いる場合よりも脚受け部材の生産性が向上すると共に、硬化層が形成されないので、振動の吸収性に悪影響を及ぼす虞がない。
【００２２】
そして、請求項３に記載の発明によれば、シリコンゴム材は汚れが付着しにくい性質を有するので、例えば、家具の移設等により脚受け部材を一旦取り外した場合でも、ほとんど汚れが付着しておらず、そのまま再利用することができる。また、再利用する場合においても十分な滑り止め効果を得ることができる。
【００２３】
ここで、例えば、複数の側板と、互いに隣接する各一対の側板間に架設された複数の棚板とを有する収納棚等の家具の現場への設置作業について見てみると、例えば、各側板や各棚板は解体された状態で現場に搬入され、まず、各側板の立設作業から開始されるが、この側板の立設作業は、例えば、（１）床面に脚受け部材を配設し、（２）脚受け部材の上方に側板を持ち上げながら移動させ、（３）この持ち上げた状態で脚の底部と脚受け部材の凹部とを位置合せし、（４）この位置合せした状態で側板を降ろして脚受け部材の凹部に脚の底部を嵌め込むという多くの手順を踏むこととなるが、特に上記（３）、（４）の作業は重量物である側板を持ち上げながら微調整が必要となる繊細な作業であり、作業性が非常に悪い。しかも、各側板毎にこの作業を繰り返さなければならない。なお、上記作業性の悪さは、組立て済の家具を設置する場合にもいえることであり、その場合、例えば底板等により作業性が一層悪化することとなる。
【００２４】
しかしながら、請求項４に記載の発明によれば、板状剛性部材の凹部の底面に粘着材が備えられているから、予め家具の脚に脚受け部材を貼り付けておけば、設置位置に移動させて載置するだけでよくなり、現場での作業性が飛躍的に向上する。
【００２５】
また、請求項５に記載の発明によれば、粘着材は両面粘着テープであるから、第２発明同様、両者が即座に結合され、例えば硬化に時間のかかる接着剤を用いる場合よりも、現場の施工性が向上することとなる。
【発明を実施するための最良の形態】
【００２６】
以下、本発明の実施の形態について説明する。
【００２７】
すなわち、図１及び図２に示すように、本発明に係る収納棚１は、上方に突出する複数の側板２…２と、互いに隣接する各一対の側板２，２間に架設された複数の棚板３…３とを有し、多数の収納空間が形成されている。また、収納棚１は、該棚１の設置高さを調整するための複数のアジャスタ脚４…４を有し、床面Ｘに複数の脚受け部材５…５を介して設置されている。そして、この収納棚１の上部と天井面Ｙとの間に、補強板６を介して、上下方向への突っ張り力を生じさせる付勢部材と上記補強板６の下面に設けられた係合穴に係合可能な係合ピンとを有する複数の転倒防止装置７…７が装着されている。
【００２８】
アジャスタ脚４は、図３に示すように、各側板２…２の底部に設けられた垂直穴２ａ…２ａに圧入されて内面に雌ねじ部を有するナット状の筒状部材１１と、該筒状部材１１の雌ねじ部に螺合されたねじ軸１２と、該ねじ軸１２の下部に組み付けられた台座１３と、該ねじ軸１２に螺合されたロックナット１４とを有する。
【００２９】
ねじ軸１２には、上から順に、雄ねじ部１２ａ、雄ねじ部１２ａの径より大径でナット形状の操作部１２ｂ、雄ねじ部１２ａの径より小径の中径部１２ｃ、該中径部１２ｃより少径の小径部１２ｄ、該小径部１２ｄより大径の抜け止め部１２ｅが形成されている。中径部１２ｃの周面には一部平面部１２ｆが設けられている。
【００３０】
台座１３は、ねじ軸１２の中径部１２ｃとほぼ同形状の開口１５ａが上面に設けられたカバー１５と、ドーナッツ状の弾性体でなる底部１６とを有し、カバー１５の開口１５ａが上記ねじ軸１２の中径部１２ｃに嵌められていると共に、底部１６が上記小径部１２ｄに嵌められている。これによれば、ねじ軸１２の操作部１２ｂを操作してねじ軸１２を回転させると、台座１３のカバー１５が一緒に回転するが、底部１６は後述する脚受け部材５との抵抗により回転することがない。
【００３１】
ここで、カバー１５の開口１５ａは、ねじ軸１２の中径部１２ｃより若干大きくされ、遊びが設けられている。これによれば、床面Ｘの傾きにより脚受け部材５…５が水平でないような場合でも、アジャスタ脚４の台座１３が床面Ｘに沿って傾き、底部１６の下面が以下説明する脚受け部材５…５の円形凹部２１ａ，２１ａの底面に良好に密着することとなる。
【００３２】
なお、各側板２の底部とロックナット１４との間には、該ロックナット１４が収納棚１の重量により側板２の底部にめり込むのを防止することを目的として、該ロックナット１４の径より大径の平ワッシャ１７が介設されている。
【００３３】
次に、脚受け部材５について説明する。この脚受け部材５は、図４〜図６に示すように、上記アジャスタ脚４，４の台座１３，１３の底部１６，１６が嵌められる円形凹部２１ａ，２１ａが上面の両端側に設けられた板状剛性部材２１と、該板状剛性部材２１の下面に貼り合わされた板状弾性部材２２と、該板状弾性部材２２の下面の床面Ｘに接する面に貼り合わされたシート状滑り止め部材２３とを有する。
【００３４】
板状剛性部材２１は長さ約３０ｃｍ、幅約４ｃｍ、厚さ１５ｍｍの木材である。また、凹部２１ａは、平面視円形で、その半径はアジャスタ脚４の台座１３の底部１６の半径よりも１ｍｍ大きくされている。また、凹部２１ａの深さは、図３に示すように、上記アジャスタ脚５の台座１３のカバー１５の下端と該板状剛性部材２１の上面とが当接しないように、これらの間に隙間αが生じる深さに設定されている。具体的には、この例においては、凹部２１ａの深さは１ｍｍで、隙間αは１ｍｍとされている。
【００３５】
板状弾性部材２２は、厚さ１．６ｍｍのウレタン発泡材であり、地震発生時の振動吸収や、シート状滑り止め部材２３の床面Ｘへの密着性確保等を目的として設けられている。
【００３６】
シート状滑り止め部材２３は、厚さ０．２３ｍｍのシリコンゴムで形成されており、床面Ｘに対する滑り止めを目的として設けられている。また、シリコンゴムであるので、汚れが付着しにくい性質を有する。
【００３７】
ここで、板状剛性部材２１と板状弾性部材２２との貼り合せ、及び板状弾性部材２２とシート状滑り止め部材２３との貼り合せには、例えばビニル重合体、ゴム系、重縮合、重付加物、無機、または天然物等でなる接着剤や、基材の両面にゴム系、アクリル系、ビニルエーテル系、またはシリコン系粘着剤の塗布された両面粘着テープを用いることができる。なお、本実施の形態においては、板状剛性部材２１と板状弾性部材２２との貼り合わせには基材の両面にアクリル系粘着剤の塗布された両面粘着テープ２４を用い、板状弾性部材２２とシール状滑り止め部材２３との貼り合わせには基材の両面にゴム系粘着剤の塗布された両面粘着テープ２５を用いている。これは、両面粘着テープの場合、被貼り合せ物を即座に結合可能であるため、接着剤を用いる場合よりも脚受け部材５の生産性が向上すると共に、硬化層が形成されないので、振動の吸収性に悪影響を及ぼすことがないからである。
【００３８】
以上説明したように、本実施の形態に係る脚受け部材５は、上面にアジャスタ脚４，４の台座１３，１３の底部１６，１６が嵌められる凹部２１ａ，２１ａが各アジャスタ脚４，４毎に設けられた板状剛性部材２１と、該板状剛性材２１の下面に貼り合わされた板状弾性部材２２と、該板状弾性部材２２の下面の床面Ｘに接する面に貼り合わされたシート状滑り止め部材２３とからなるから、板状剛性部材２１の剛性により脚受け部材５のたわみが防止されると共に、床面Ｘに不陸がある場合でも、板状弾性部材２２がこの不陸に沿って変形することにより、シート状滑り止め部材２３が床面Ｘに隙間なく密着することとなる。したがって、脚受け部材５を床面Ｘにねじ止めしなくても、該脚受け部材５が地震等の振動により滑ってずれたりすることがなく、また、床面Ｘにねじ止めする必要がなくなる。また、その結果、床面Ｘに傷がつくこともない。
【００３９】
また、脚受け部材５の板状剛性部材２１は板状弾性部材２２を介してほぼ全面的に床面Ｘに接するので、収容棚１の荷重が床面Ｘの広い範囲に良好に分散され、床面Ｘにたわみや凹みが生じるのが防止される。また、板状弾性部材２２により地震等の振動を良好に吸収することができる。
【００４０】
そして、シート状滑り止め部材２３は汚れが付着しにくいシリコンゴムで形成されているから、例えば、家具の移設等により脚受け部材５を一旦取り外した場合でも、該シート状滑り止め部材２３に汚れがあまり付着しておらず、そのまま再利用することができる。また、再利用する場合においても十分な滑り止め効果を得ることができる。
【００４１】
ここで、収納棚１の設置手順の一例について説明する。なお、現場には、収納棚１は、側板２…２、棚板３…３、アジャスタ脚４…４、脚受け部材５…５に解体された状態で搬入される。
【００４２】
まず、各側板２…２の上端部に転倒防止装置７…７をねじ止めする。
【００４３】
次いで、各側板２…２の底部にアジャスタ脚３…３を取り付ける。詳しくは、側板２の底面から台座１３の底部１６の底面までの距離が所定長となるように、ねじ軸１２を筒状部材１１にねじ込む、なお、このとき、ロックナット１４は、台座１３側におろしておく。
【００４４】
次いで、天井面Ｙに補強板６を取り付けて補強する。なお、天井面Ｙが十分な強度を有する場合は、補強板６を省略してもよい。この取り付けには両面粘着テープを用いれば、ねじや釘を用いた場合のように天井面Ｙに傷が残ることがなく、また、天井面Ｙがねじや釘の効かない素材であったり、ねじや釘の利用が許されないような場合にも取付が可能となる。
【００４５】
次いで、各側板２…２を１つづつ予定位置に設置するわけであるが、従来の設置方法によれば、例えば、（１）床面Ｘに脚受け部材５を配設し、（２）脚受け部材５の上方に側板２を持ち上げながら移動させ、（３）この持ち上げた状態で各アジャスタ脚４，４の台座１３，１３の底部１６，１６と脚受け部材５の凹部２１ａ，２１ａとを位置合せし、（４）この位置合せした状態で側板２を降ろして脚受け部材５の凹部２１ａ，２１ａにアジャスタ脚４の台座１３，１３の底部１６，１６を嵌め込み、（５）アジャスタ脚４により側板２の高さ調整及び垂直調整等を行う等の多くの手順を踏むこととなるが、特に上記（３）、（４）の作業は重量物である側板２を持ち上げながら微調整が必要となる繊細な作業であり、作業性が非常に悪い。しかも、各側板２…２毎にこの作業を繰り返さなければならない。
【００４６】
そこで、本実施の形態においては、図７に示すように、各側板２…２の設置前に、それぞれ、脚受け部材５をアジャスタ脚４，４に予め貼り付けるようにしている。詳しくは、各アジャスタ脚４，４の台座１３，１３の底部１６，１６に脚受け部材５の板状剛性部材２１の凹部２１ａ，２１ａを嵌め込んで粘着材２６，２６により貼り付けるようにしている。これによれば、設置に際しては、上記（１）〜（４）の作業に代えて、脚受け部材５をアジャスタ脚４，４に貼り付けた状態の側板２を設置予定位置に移動させるだけでよくなり、現場での作業性が飛躍的に向上する。
【００４７】
ここで、上記粘着材２６としては、上記板状剛性部材２１と板状弾性部材２２との貼り合せ、及び板状弾性部材２２とシート状滑り止め部材２３との貼り合せの場合同様、上記様々な接着剤や両面粘着テープを用いることができるが、本実施の形態においては、基材にアクリル系粘着剤の塗布された両面粘着テープを用いている。これによれば、アジャスタ脚４の台座１３，１３の底部１６，１６に脚受け部材５を即座に貼り付け可能であり、接着剤を用いる場合よりも脚受け部材５の生産性が向上すると共に、硬化層が形成されないので、振動の吸収性に悪影響を及ぼすことがない。なお、この粘着材２６としての両面粘着テープは脚受け部材５の製造時に貼り付けておいてもよいし、現場で貼り付けてもよい。なお、アジャスタ脚４…４の台座１３…１３の底部１６…１６下面に予め貼り付けておいてもよい。
【００４８】
そして、上記のように、脚受け部材５がアジャスタ脚４，４の台座１３，１３の底部１６，１６に貼り付けられた側板２を設置予定位置に立設する。なお、この立設は、補強板６の下面に設けられた係合穴に転倒防止装置７の係合ピンを差し込んで係合させた状態で行う。
【００４９】
次いで、前後の各アジャスタ脚４，４について、ねじ軸１２の操作部１２ｂをスパナ等を用いて回転させて、転倒防止装置７の上面が補強板６の下面に当接するように側板２の高さを調節すると共に、該側板２の垂直調整を行った後、ロックナット１４を締め、残りの側板２…２について、上記作業を繰り返す。なお、上記操作部１２ｂの操作に際しては、前後２つのアジャスタ脚４，４の台座１３，１３の底部１６，１６が脚受け部材５の凹部２１ａ，２１ａにそれぞれ嵌っているので、操作部１２ｂの操作中に脚受け部材５が連れ回りしたり、該底部１６，１６が凹部２１ａ，２１ａからはみ出すことがない。
【００５０】
そして、全ての側板２…２の設置が完了したら、次いで、各棚板３…３を取り付けた後、再度、各アジャスタ脚４…４について、ねじ軸１２の操作部１２ｂをスパナ等を用いて回転させて、各側板２…２の垂直調整及び各棚板３…３の水平調整を行う。
【００５１】
そして、最後に、各転倒防止装置７…７のロック解除を行って、転倒防止装置７…７を収納棚１と天井面Ｙとの間で突っ張るようにして、収納棚１の設置作業を完了する。
【００５２】
なお、本発明に係る脚受け部材は前述したもの（以下、基本例という）に限定されるものではなく、様々な態様で実現可能であり、以下、他の例として２例説明する。
【００５３】
まず、第１の他の例に係る脚受け部材３０は、図８〜図９に示すように（平面図は図４とほぼ同一であり、図４を参照されたい）、第２の板状剛性部材３１として、基本例の木材に代えて厚さ３ｍｍのステンレス材を用いたものである。この厚さは、基本例の１５ｍｍ厚の木材と同程度の剛性を確保することができる厚さである。板状剛性部材３１の上面には、基本例同様、深さ１ｍｍの円形凹部３１ａ，３１ａが設けられている。なお、板状弾性部材３２，シート状滑り止めシート３３、及び両面粘着テープ３４，３５は基本例の板状弾性部材２２，シート状滑り止めシート２３、及び両面粘着テープ２４，２５と同一のものであり、説明は省略する。
【００５４】
この第１の他の例に係る脚受け部材３０によれば、板状剛性部材を、木材を用いた場合よりも薄くしつつ、上記基本例で説明したのと同様の作用効果を得ることができる。
【００５５】
次に、第２の他の例に係る脚受け部材４０について説明すると、図１０、図１１、図１２に示すように、板状剛性部材４１は、厚さ３ｍｍのステンレス材でなる本体プレート５１と、該本体プレート５１の上面に貼り合わされ、平面視円形の貫通孔５２ａ，５２ａが形成された厚さ１ｍｍのステンレス材でなる補助プレート５２，５２とからなり、円形凹部は上記補助プレート５２の貫通孔５２ａ，５２ａと本体プレート５１の上面とで構成されている。板状剛性部材４１の本体プレート５１と補助プレート５２，５２との貼り合わせには、上記様々な接着剤や両面粘着テープを用いることができるが、本例においては両面粘着テープを用いている。なお、板状弾性部材４２，シート状滑り止めシート４３、及び両面粘着テープ４４，４５は基本例の板状弾性部材２２，シート状滑り止めシート２３、及び両面粘着テープ２４，２５と同一のものであり、説明は省略する。
【００５６】
この第２の他の例に係る脚受け部材４０によれば、基本例及び第１の他の例で説明した作用効果に加えて、例えば収納棚のサイズ変更等に伴ってアジャスタ脚４，４の前後間隔を変更しなければならない場合等に、本体プレート５１への補助プレート５２，５２の貼り付け位置を変更するだけで、容易に対応することができる。すなわち、アジャスタ脚の前後間隔に合せて複数種類の板状剛性部材を用意する必要がない。
【００５７】
なお、上記実施の形態においては、各部材の厚み等について具体的数値を挙げて説明したが、各数値は一例であり、脚受け部材上に載置される家具の寸法、重量に応じて適宜設定すればよい。
【００５８】
また、上記実施の形態においては、２つの脚を受ける脚受け部材について説明したが、３脚以上の脚を受ける脚受け部材についても適用可能である。また、平面視の形状は、各例で説明した長方形状に限定されるものではなく、家具の荷重が適切に分散できる形状であればかまわない。
【００５９】
そして、上記実施の形態においては、脚受け部材に載置される家具の脚はアジャスタ脚であるが、本発明はアジャスタ機構を有さない一般的な固定長脚にも適用可能である。
【００６０】
さらに、本実施の形態においては、収納棚の側板の上端部と天井面との間に転倒防止装置が設けられているが、転倒防止装置が設けられない場合についても、本発明の作用効果は奏される。
【産業上の利用可能性】
【００６１】
本発明は、床面に載置される脚付き家具の複数の脚を受ける脚受け部材に広く好ましく適用可能である。
【図面の簡単な説明】
【００６２】
【図１】本発明の実施の形態に係る脚受け部材が適用された収納棚の正面図である。
【図２】同収納棚の側面図である。
【図３】収納棚のアジャスタ脚付近の拡大図である。
【図４】脚受け部材の平面図である。
【図５】同脚受け部材の側面図である。
【図６】図５のＡ−Ａ線による断面図である。
【図７】円形凹部に両面粘着テープを貼り付けた状態の図６相当の脚受け部材の断面図である。
【図８】第１の他の例に係る脚受け部材の側面図である。
【図９】図８のＢ−Ｂ線による断面図である。
【図１０】第２の他の例に係る脚受け部材の平面図である。
【図１１】同脚受け部材の側面図である。
【図１２】図１１のＣ−Ｃ線による断面図である。
【図１３】従来の脚受け部材の問題点の説明図である。
【図１４】従来の他の脚受け部材の問題点の説明図である。
【符号の説明】
【００６３】
１      収納棚（脚付き家具）
４      アジャスタ脚（脚）
１６    アジャスタ脚の台座の底部
５，３０，４０      脚受け部材
２１，３１，４１    板状剛性部材
２１ａ，３１ａ，４１ａ  凹部
２２，３２，４２    板状弾性部材
２３，３３，４３    シート状滑り止め部材
２４，３４，４４    両面粘着テープ
２５，３５，４５    両面粘着テープ
２６    粘着材（両面粘着テープ）
Ｘ      床面
【図１】
2006158473.tif 000003
【図２】
2006158473.tif 000004
【図３】
2006158473.tif 000005
【図４】
2006158473.tif 000006
【図５】
2006158473.tif 000007
【図６】
2006158473.tif 000008
【図７】
2006158473.tif 000009
【図８】
2006158473.tif 000010
【図９】
2006158473.tif 000011
【図１０】
2006158473.tif 000012
【図１１】
2006158473.tif 000013
【図１２】
2006158473.tif 000014
【図１３】
2006158473.tif 000015
【図１４】
2006158473.tif 000016